(57)【要約】【課題】無線ネットワーク端末のアンテナの指向性を考慮しながら容易にアドホックネットワークを構築することができる、アドホックネットワークの構築方法及び無線ネットワーク端末を提供する。【解決手段】アドホックネットワークの構築方法は、それぞれ中継機能を持つ複数の無線ネットワーク端末１６を準備する準備工程と、各無線ネットワーク端末１６同士が相互に通信を行うアドホックネットワークを構築するように、複数の無線ネットワーク端末１６を設置する設置工程とを備える。各無線ネットワーク端末１６には、各々の無線ネットワーク端末１６におけるアンテナの放射電界の指向方向を示す指向性マーク３０が設けられる。設置工程において、各々の無線ネットワーク端末１６を、指向性マーク３０に基づいて、隣り合う無線ネットワーク端末１６の指向方向が互いに略対向する向きに設置する。【選択図】図１
2007189331.tif 000002
【特許請求の範囲】
【請求項１】
それぞれ中継機能を持つ複数の無線ネットワーク端末を準備する準備工程と、
前記各無線ネットワーク端末同士が相互に通信を行うアドホックネットワークを構築するように、複数の前記無線ネットワーク端末を設置する設置工程とを備えるアドホックネットワークの構築方法において、
前記各無線ネットワーク端末には、各々の前記無線ネットワーク端末におけるアンテナの放射電界の指向方向を示す指向性マークが設けられ、
前記設置工程において、各々の前記無線ネットワーク端末を、前記指向性マークに基づいて、隣り合う前記無線ネットワーク端末の前記指向方向が互いに略対向する向きに設置することを特徴とする、アドホックネットワークの構築方法。
【請求項２】
前記設置工程は、
前記無線ネットワーク端末を複数の向きに装着可能な取り付け器具を固定する第１ステップと、
固定された前記取り付け器具に、各々の前記無線ネットワーク端末を、前記指向性マークに基づいて、隣り合う前記無線ネットワーク端末の前記指向方向が互いに略対向する向きに装着する第２ステップとを含むことを特徴とする、請求項１に記載のアドホックネットワークの構築方法。
【請求項３】
前記無線ネットワーク端末は、
基板と、
該基板に配置された前記アンテナ、ＲＦ信号処理部及び演算処理部と、
少なくとも前記ＲＦ信号処理部及び前記演算処理部を被覆するケースとを備え、
前記指向性マークは、前記ケースに設けられていることを特徴とする、請求項１又は２に記載のアドホックネットワークの構築方法。
【請求項４】
前記無線ネットワーク端末は、
基板と、
該基板に配置された前記アンテナ、ＲＦ信号処理部及び演算処理部と、
前記ＲＦ信号処理部及び前記演算処理部を被覆するケースとを備え、
前記指向性マークは、前記アンテナに設けられていることを特徴とする、請求項１又は２に記載のアドホックネットワークの構築方法。
【請求項５】
前記無線ネットワーク端末は、
前記アンテナを含み、前記指向性マークが設けられた本体部と、
ＲＦ信号処理部及び演算処理部を含み、前記本体部を複数の向きに装着可能な取り付けベース部とを備え、
前記設置工程は、
前記無線ネットワーク端末の前記取り付けベース部を固定する第１ステップと、
固定された前記取り付けベース部に、各々の前記無線ネットワーク端末の前記本体部を、前記指向性マークに基づいて、隣り合う前記無線ネットワーク端末の前記本体部の前記指向方向が互いに略対向する向きに装着する第２ステップとを含むことを特徴とする、請求項１に記載のアドホックネットワークの構築方法。
【請求項６】
請求項１ないし５のいずれか一つに記載のアドホックネットワークの構築方法において用いられ、前記指向性マークを備えたことを特徴とする、無線ネットワーク端末。
【発明の詳細な説明】
【技術分野】
【０００１】
本発明は、無線通信ネットワークに関し、詳しくは、アドホックネットワークの構築方法及びそれに用いる無線ネットワーク端末に関する。
【背景技術】
【０００２】
近年、無線ＬＡＮのようにアクセスポイントを必要としない、無線ネットワーク端末（パソコン、ＰＤＡ、携帯電話など）のみで構成されたアドホックネットワーク（Ａｄ  Ｈｏｃ  Ｎｅｔｗｏｒｋ）が研究・開発されている。
【０００３】
アドホックネットワークは、自立分散型無線ネットワークとも言われており、ＩＥＥＥ  ８０２．１１、ＢｌｕｅＴｏｏｔｈ（登録商標）、Ｚｉｇｂｅｅ（登録商標）などの無線通信技術を用いながら、多数の無線ネットワーク端末を各無線ネットワーク端末を中継器として相互に接続する、「マルチホップ通信」と言われる形態が取られる。このため、アドホックネットワークにおいては、基地局やアクセスポイントが不要となり、このようなインフラを持たない場所で安価にネットワークを構築することができ、ある限られた域内での簡易なネットワークの構築手段として有効である。
【０００４】
アンテナの指向性の表示に関する従来技術として、特許文献１には、図１１に示すように、無線通信用のアンテナ素子７が収納された筐体６の外面６ａに、アンテナ素子７の放射電界の向きを示す記号８ａと文字８ｂとを組み合わせた表示部８を設けた電子機器４が開示されている。このような表示部８を設けることによって、通信相手（ＰＣ、携帯電話など）に対して筐体６を適切な向きに設定し、良好な通信を行うことができる。この電子機器４は、１対１のデータの送受を目的としており、ネットワーク（広がり）を構築できるものではない。また、放射電界の示す方向は単方向のみである。
【０００５】
また、特許文献２には、主ビームの方向を示す方向表示部を、アンテナカバーの形状によって構成したアンテナ装置が開示されている。
【特許文献１】特開２００３−２７３７６５号公報
【特許文献２】特開平９−２１４２２０号公報
【発明の開示】
【発明が解決しようとする課題】
【０００６】
アドホックネットワークを構築するための無線ネットワーク端末は、無線信号を送受するためのアンテナを備えている。一般に、アンテナは指向性を有しており、特定の方向に強い放射電界が存在している。そのため、アドホックネットワークは、各無線ネットワーク端末に備えられるアンテナの指向性を考慮しながら構築する必要がある。
【０００７】
通常、無線ＬＡＮのアクセスポイントなどは、無線機器の向きをユーザーが大まかに設置し、通信品質が悪い場合には手探りで向きを変えたりしている。一般的には、このようなアクセスポイントに使われるアンテナは無指向性が多いため、極端に方向による通信品質の劣化は少ないが、部屋などの環境によっては、マルチパスの影響を受けることもある。
【０００８】
最近は指向性のあるアンテナを使用して、通信品質を高めようとしたものもある。しかし、このようなタイプだと、放射する方向に通信相手（カードなど）が存在しないと通信品質はかなり悪化する。そのためにも、どのような指向性を持っているか把握することが重要となる。
【０００９】
本発明はかかる実情に鑑みて、無線ネットワーク端末のアンテナの指向性を考慮しながら容易にアドホックネットワークを構築することができる、アドホックネットワークの構築方法及び無線ネットワーク端末を提供しようとするものである。
【課題を解決するための手段】
【００１０】
本発明は、上記課題を解決するために、以下のように構成したアドホックネットワークの構築方法を提供する。
【００１１】
アドホックネットワークの構築方法は、それぞれ中継機能を持つ複数の無線ネットワーク端末を準備する準備工程と、前記各無線ネットワーク端末同士が相互に通信を行うアドホックネットワークを構築するように、複数の前記無線ネットワーク端末を設置する設置工程とを備える。前記各無線ネットワーク端末には、各々の前記無線ネットワーク端末におけるアンテナの放射電界の指向方向を示す指向性マークが設けられる。前記設置工程において、各々の前記無線ネットワーク端末を、前記指向性マークに基づいて、隣り合う前記無線ネットワーク端末の前記指向方向が互いに略対向する向きに設置する。
【００１２】
上記方法によれば、無線ネットワーク端末の指向性マークを参照しながら、隣り合う無線ネットワーク端末を適切な向きに、すなわち互いに指向性が重なり双方向通信可能に設置することができる。
【００１３】
好ましくは、前記設置工程は、前記無線ネットワーク端末を複数の向きに装着可能な取り付け器具を固定する第１ステップと、固定された前記取り付け器具に、各々の前記無線ネットワーク端末を、前記指向性マークに基づいて、隣り合う前記無線ネットワーク端末の前記指向方向が互いに略対向する向きに装着する第２ステップとを含む。
【００１４】
この場合、取り付け器具に無線ネットワークを装着する向きを変えることによって、無線ネットワークの取り付け方向を調整することができる。
【００１５】
具体的には、以下のように種々の態様で構成することができる。
【００１６】
一態様としては、前記無線ネットワーク端末は、基板と、該基板に配置された前記アンテナ、ＲＦ信号処理部及び演算処理部と、少なくとも、前記ＲＦ信号処理部及び前記演算処理部を被覆するケースとを備える。前記指向性マークは、前記ケースに設けられている。
【００１７】
この場合、デザイン性の優れた外観とすることが容易である。
【００１８】
他の態様としては、前記無線ネットワーク端末は、基板と、該基板に配置された前記アンテナ、ＲＦ信号処理部及び演算処理部と、前記ＲＦ信号処理部及び前記演算処理部を被覆するケースとを備える。前記指向性マークは、端末の外観上の表面に設けられた前記アンテナに設けられている。
【００１９】
この場合、アンテナには指向性マークが設けられているため、無線ネットワーク端末の組立作業が容易になる。すなわち、アンテナ以外の部材（例えば、ケース）に指向性マークを設ける場合のようにアンテナと指向性マークとが対応するように注意しながら無線ネットワーク端末を組み立てる必要がなくなる。
【００２０】
好ましくは、前記無線ネットワーク端末は、前記アンテナを含み、前記指向性マークが設けられた本体部と、ＲＦ信号処理部及び演算処理部を含み、前記本体部を複数の向きに装着可能な取り付けベース部とを備える。前記設置工程は、前記無線ネットワーク端末の前記取り付けベース部を固定する第１ステップと、固定された前記取り付けベース部に、各々の前記無線ネットワーク端末の前記本体部を、前記指向性マークに基づいて、隣り合う前記無線ネットワーク端末の前記本体部の前記指向方向が互いに略対向する向きに装着する第２ステップとを含む。
【００２１】
この場合、アンテナの指向性に応じて異なる構成部分、すなわち無線ネットワークの本体部を、小型化、簡略化することができる。また、取り付けベース部に無線ネットワーク端末の機能の一部を含めることで、取り付け器具に無線ネットワーク端末を装着する場合に比べ、全体の構成を小型化、簡略化することができる。
【００２２】
また、本発明は、上述したいずれかの構成のアドホックネットワークの構築方法において用いられ、前記指向性マークを備えた無線ネットワーク端末を提供する。
【発明の効果】
【００２３】
本発明によれば、無線ネットワーク端末のアンテナの指向性を考慮しながら容易にアドホックネットワークを構築することができる。
【発明を実施するための最良の形態】
【００２４】
以下、本発明の実施の形態について実施例を、図１〜図８を参照しながら説明する。
【００２５】
＜実施例＞  実施例のアドホックネットワークの構築方法について、図１〜図４を参照しながら説明する。
【００２６】
図１は、実施例で用いる無線ユニット１０の構成図である。無線ユニット１０は、天井２等の所定位置に固定される取り付け器具１２と、取り付け器具１２に装着される無線ネットワーク端末１６とを備える。
【００２７】
無線ネットワーク端末１６は、基板１７がケース２０で覆われるように構成されている。
【００２８】
基板１７には、図３に示す機能無線デバイス４０として機能するように、アンテナ４２と、信号処理ブロック４４のＲＦ信号処理部４６及び演算処理部４８の電子部品とが搭載されている。ＲＦ信号処理部４６は、アンテナ４２にて受信した信号をフィルタリングして演算処理部４８に送るとともに、演算処理部４８から入力された信号をアンテナ４２に送る。演算処理部４８は、アドホックネットワークの中継機能などを実現するように所定のプログラムを実行するマイクロコンピュータである。
【００２９】
ケース２０には、図１に示すように、図において下面２０ａ及び側面２０ｂに、指向性マーク３０が形成されている。指向性マーク３０は、基板１７に搭載されているアンテナ４２（図３参照）の放射電界の指向方向を示している。指向性マーク３０の例として、無線ネットワーク端末１６に内蔵されたアンテナ４２（図３参照）の指向性を矢印で示しているが、これに限るものではなく、適宜なデザインの図形や、ランプで表示するなどであってもよい。また、指向性マーク３０の表示箇所は、特に限定されないが、無線ネットワーク端末１６を取り付け器具１２に装着する作業の際に、無線ネットワーク端末１６の見やすい箇所に表示されることが好ましい。指向性マーク３０は、無線ネットワーク端末１６を取り付け器具１２に装着した状態では外部から見えないようになってもよい。
【００３０】
図２に示すように、指向性マーク３０〜３４は、アンテナの放射電界の指向方向（指向性）に応じて表示を変える。
【００３１】
図２（Ａ）は、無線ネットワーク端末１６ａのアンテナの指向性が一方向（図において右向き）の場合の指向性マーク３０の例である。図２（Ｂ）は、無線ネットワーク端末１６ｂのアンテナの指向性が一方向（図において左向き）の場合の指向性マーク３１の例である。指向性が一方向のアンテナとしては、例えば、パッチアンテナ、八木アンテナ、ヘリカルアンテナなどを用いることができる。
【００３２】
図２（Ｃ）は、無線ネットワーク端末１６ｃのアンテナの指向性が図において左右方向の場合の指向性マーク３２の例である。左右方向の指向性のアンテナとしては、例えば、スロットアンテナや、指向性が一方向の八木アンテナやパッチアンテナなどを組み合わせたものなどを用いることができる。
【００３３】
図２（Ｄ）は、無線ネットワーク端末１６ｃのアンテナが無指向性の場合の指向性マーク３３の例である。無指向性のアンテナとしては、例えば、モノポールアンテナやダイポールアンテナなどを用いることができる。
【００３４】
図２（Ｅ）は、無線ネットワーク端末１６ｅのアンテナの指向性が図において上向きを含む場合の指向性マーク３４の例である。指向性が上向きのアンテナとしては、例えば、パッチアンテナ、八木アンテナ、ヘリカルアンテナなどを用いることができる。
【００３５】
無線ネットワーク端末１６は、図１に示すように、無線ネットワーク端末１６のケース２０に固定された一対の取り付け片２２の貫通穴２４に取り付けねじ２６を挿通し、取り付け器具１２に形成されたねじ穴１３に取り付けねじ２６を螺合することにより、取り付け器具１２に装着する。取り付け器具１２には、取り付け器具１２の一対の取り付け片２２の貫通穴２４に対応する複数対（例えば２対）のねじ穴１３が設けられている。無線ネットワーク端末１６は、装着のために用いる取り付け器具１２のねじ穴１３を選択することによって、取り付け器具１２に対して向きを変えて（例えば９０度ごと）に装着することができる。
【００３６】
無線ネットワーク端末１６を取り付け器具１２に装着すると、無線ネットワーク端末１６の基板１７から突出するコネクタ１８が、取り付け器具１２に形成された嵌合穴１４に挿入され、取り付け器具１２側から無線ネットワーク端末１６に、コネクタ１８を介して電源が供給されるようになっている。
【００３７】
なお、無線ネットワーク端末１６の向きを変えて取り付け器具１２に装着する構成は、上記に限定されない。例えば、基板１７から突出するコネクタ１８の嵌合のみによって、無線ネットワーク端末１６を取り付け器具１２に着脱する構成としてもよい。また、コネクタ１８の断面を例えば正多角形とし、所定角度ごとに向きを変えて装着する構成としてもよい。
【００３８】
アドホックネットワークは、複数の無線ユニット１０を設置して構築する。この際、指向性の異なる複数の無線ネットワーク端末を準備しておき、適宜に選択して用いる。
【００３９】
例えば、建物内における無線ユニットの設置例について、図４を参照しながら説明する。
【００４０】
図４に示すように、建物内には、適宜な間隔を設けて、通路５０の端５１や交差部５３，５６や中間位置５２，５５，５７，５８、廊下５９の踊場５４などの所定位置（例えば天井）に、無線ユニット１０の取り付け器具１２（図４では図示せず）を設置し、電源供給のための電気配線工事を行う。なお、電源としては、照明用に使っていたものを利用してもよいし、太陽光などをエネルギー源とするものを利用してもよい。
【００４１】
設置された取り付け器具１２（図４では図示せず）には、設置状況に応じて、予め準備された異なる指向性を持つ無線ネットワーク端末１６ａ〜１６ｅ（図２参照）を適宜に選択し、適宜な向きに装着する。
【００４２】
例えば、通路５０の端５１には、一方向の指向性の無線ネットワーク端末１６ａを装着する。通路５０の交差部５３，５６には、無指向性の無線ネットワーク端末１６ｄを装着する。通路５０の中間位置５２，５５，５７，５８には、左右の指向性の無線ネットワーク端末１６ｃを装着する。廊下５９の踊場５４には、上方向の指向性を含む無線ネットワーク端末１６ｅを装着する。
【００４３】
このとき、無線ネットワーク端末１６ａ〜１６ｅの指向性マーク３０〜３４（図３参照）を見て、隣り合う無線ネットワーク端末の指向方向が互いに略対向する向きとなるように、各々の無線ネットワーク端末を装着する。
【００４４】
例えば、通路５０の中間位置５７に装着する無線ネットワーク端末１６ｃと、通路５０の交差部５６に装着する無線ネットワーク端末１６ｄとについては、それぞれの無線ネットワーク端末１６ｃ，１６ｄの指向性マーク３２，３３（図２参照）を見ながら、互いに指向方向が略対向するように設置する。これによって、無線ネットワーク端末１６ｃについて破線で模式的に示した送受信が良好である領域１６ｐと、無線ネットワーク端末１６ｄについて鎖線で模式的に示した送受信が良好である領域１６ｑとが重なり合い、無線ネットワーク端末１６ｃ，１６ｄ同士が相互に通信を行うことができるようにする。
【００４５】
実際には、周囲の環境によって、うまく通信ができないこともある。そのときには、無線ネットワーク端末の向きを調整したり、無線ネットワーク端末を異なるタイプのものと交換したりする。
【００４６】
無線ネットワーク端末は、指向性マークを見ながら設置することで、最初の設置時に何の指標も無く、むやみに設置する場合よりも、適切に設置できる可能性が高まる。特に、無線ネットワーク端末間を中継して、ネットワークを構築するメッシュネットワークが形成できるアドホックネットワークのような無線方式では、非常に有効である。また、大規模なネットワーク構築および、徐々に無線機器を追加していき、ネットワークを拡張することも容易となる。
【００４７】
＜変形例＞  次に、変形例について、図５〜図１０を参照しながら説明する。
【００４８】
図５に示す無線ネットワーク端末１６ｓは、実施例と同様に、アンテナ６０と、ＲＦ信号処理部４６（図３参照）を有する電子部品（たとえばＩＣチップ）６６と、演算処理部４８（図３参照）を有する電子部品（たとえばマイコン）６８とが搭載された基板１７ｓ全体がケース２０ｓで覆われ、ケース２０ｓには指向性マーク３３が設けられている。基板１７ｓに搭載されているアンテナ６０、ＩＣチップ６６、マイコン６８は、ケース２０ｓで覆われ、露出しないようになっている。ケース２０ｓで全体を覆うことによって、デザイン性の優れた外観とすることが容易である。
【００４９】
なお、指向性マーク３３の配置箇所やケース２０ｓの構成は、実施例とは異なる。
【００５０】
図６に示す無線ネットワーク端末１６ｘのように、ケース２０ｘは、基板１７ｘに搭載されたＩＣチップ６６及びマイコン６８のみを覆い、基板１７ｘに搭載されたアンテナ６１が露出するようにしてもよい。この例では、指向性マーク３３は、ケース２０ｘに設けられている。
【００５１】
アンテナが外観上、露出する構成のときには、指向性マークをアンテナに表示してもよい。
【００５２】
例えば図７に示す無線ネットワーク端末１６ｙのように、基板１７ｙに搭載されたＩＣチップ６６及びマイコン６８を覆うケース２０ｙの上に、指向性マーク３３を設けたアンテナ６２を重ねるように配置してもよい。
【００５３】
あるいは、図８に示す無線ネットワーク端末１６ｚのように、指向性マーク３３が設けられたアンテナ６３を、基板１７ｚに搭載されたＩＣチップ６６及びマイコン６８を覆うケース２０ｚと並べるように配置してもよい。
【００５４】
図７及び図８に示したようにアンテナ６２，６３にそのアンテナ自身の指向性マーク３３を設けると、アンテナ以外の部材（例えば、ケース）に指向性マークを設ける場合のように指向性マークとアンテナとが対応するように注意しながら無線ネットワーク端末を組み立てる必要がない。そのため、無線ネットワーク端末１６ｙ，１６ｚの組立作業が容易になる。
【００５５】
機能無線デバイス４０（図３参照）としての機能を全て無線ネットワーク端末に設ける代わりに、図９に示す無線ネットワーク端末１６ｔのように、信号処理ブロック４４のＲＦ信号処理部４６及び演算処理部４８（図３参照）を構成する部分を取り付け器具７０（すなわち、無線ネットワーク端末１６ｔの取り付けベース部）に設け、指向性マーク３３が設けられたアンテナ６４（すなわち、無線ネットワーク端末１６ｔの本体部）を取り付け器具７０に装着するように構成してもよい。この場合、異なる指向性ごとにアンテナ６４を用意するだけでよいので、異なる指向性ごとに用意する部分を小型化、簡略化することができる。また、取り付け器具７０に無線ネットワーク端末１６ｔの機能の一部を含めることで、実施例のように取り付け器具１２に無線ネットワーク端末１６を装着する場合に比べ、全体の構成を小型化、簡略化することができる。
【００５６】
取り付け器具１２，７０に、無線ネットワーク端末１６あるいは無線ネットワーク端末１６ｔのアンテナ６４（以下、両者を「着脱部」という。）を直接結合する代わりに、ケーブル等を介して結合するようにしてもよい。
【００５７】
例えば図１０（Ａ）に示すように、取り付け器具７１を天井２の上に配置し、ケーブル（たとえば同軸ケーブル）７４を介して取り付け器具７１に接続されたコネクタ７２が天井２から出るようにする。そして、図１０（Ｂ）に示すように、着脱部６５にコネクタ７２を接続した状態で、着脱部６５を天井２に固定する。この場合、天井２に固定され露出する部分、すなわち着脱部６５を小型化したり、構成を簡単にしたり、デザイン性の高い外観としたりすることができる。
【００５８】
＜まとめ＞  以上に説明したアドホックネットワークの構築方法は、指向性が異なる無線ネットワーク端末を適宜に選択し、それぞれのアンテナの指向性を示す指向性マークを参照しながら、効率良く無線ネットワークを適切な向きに設置することができ、アドホックネットワークの構築が容易である。また、指向性を持つアンテナを使用することによって、無指向性に比べて特定方向への放射強度が強くなるので、設置する無線ネットワーク端末の数を削減することができる。さらに、ネットワークの拡張も容易となる。
【００５９】
なお、本発明は、上記した実施の形態に限定されるものではなく、種々変更を加えて実施可能である。
【００６０】
例えば、無線ネットワーク端末は、建物内に限らず、屋外に設置してもよい。無線ネットワーク端末に取り付け器具から電源を供給する代わりに、無線ネットワーク端末内に電源を備えるようにしてもよい。この場合には、取り付け器具の電気配線工事は不要になる。
【図面の簡単な説明】
【００６１】
【図１】無線ネットワーク端末の構成図である。（実施例）
【図２】無線ネットワーク端末の構成図である。（実施例）
【図３】機能無線デバイスのブロック図である。（実施例）
【図４】無線ネットワーク端末の設置を示す説明図である。（実施例）
【図５】無線ネットワーク端末の構成図である。（変形例１）
【図６】無線ネットワーク端末の構成図である。（変形例２）
【図７】無線ネットワーク端末の構成図である。（変形例３）
【図８】無線ネットワーク端末の構成図である。（変形例４）
【図９】無線ネットワーク端末の構成図である。（変形例５）
【図１０】無線ネットワーク端末の構成図である。（変形例６）
【図１１】無線機器の構成図である。（従来例）
【符号の説明】
【００６２】
１２  取り付け器具
１６，１６ａ〜１６ｅ，１６ｓ，１６ｔ，１６ｘ〜１６ｚ  無線ネットワーク端末
３０〜３３  指向性マーク
６１〜６３  アンテナ
６４  アンテナ（本体部）
６５  着脱部
７０  取り付け器具（取付ベース部）
７１  取り付け器具
【図１】
2007189331.tif 000003
【図２】
2007189331.tif 000004
【図３】
2007189331.tif 000005
【図４】
2007189331.tif 000006
【図５】
2007189331.tif 000007
【図６】
2007189331.tif 000008
【図７】
2007189331.tif 000009
【図８】
2007189331.tif 000010
【図９】
2007189331.tif 000011
【図１０】
2007189331.tif 000012
【図１１】
2007189331.tif 000013